(57)【要約】【課題】鏡板に付着した水が、鏡板とモールとの間に進入した場合でも、外観が損なわれにくい框組み建具を提供する。【解決手段】縦框１１及び横框１２からなるドア框１０に鏡板２０が組み付けられており、鏡板２０は、縦框１１に形成された嵌合溝に嵌め込まれていると共に、横框１２に形成された嵌合溝に、ポリウレタン樹脂を射出成型してなる長尺の樹脂成形品であるモール３０を介して、嵌め込まれている。モール３０は、長尺帯状のベース部と、このベース部の短手方向の両端部にそれぞれ連設された、長手方向に延びる一対の突条と、両突条間において、長手方向に一定間隔を開けて、ベース部に連設された多数の凸部と、ベース部の短手方向における一方の突条側の端部から張り出す、横框１２の嵌合溝に嵌り込むほぞとを備えており、両面粘着テープ及びウレタンポリマー系の接着剤を介して、鏡板２０に固着されている。【選択図】        図１
2008014008.tif 000002
【特許請求の範囲】
【請求項１】
左右の縦框及び上下の横框に鏡板が組み付けられた框組み建具において、
前記鏡板には、下側の前記横框の上端縁に沿って横方向に延びる樹脂成形品からなるモールが固着されており、
前記モールは、その全部または一部が下側の前記横框の上端縁から上側に張り出していることを特徴とする框組み建具。
【請求項２】
前記モールは、その長手方向に断続的な凸部を有している請求項１に記載の框組み建具。
【請求項３】
前記モールは、ポリウレタンによって形成されている請求項１または２に記載の框組み建具。
【請求項４】
前記モールは、ウレタンポリマー系接着剤によって、前記鏡板に接着されている請求項３に記載の框組み建具。
【発明の詳細な説明】
【技術分野】
【０００１】
この発明は、左右の縦框及び上下の横框に鏡板が組み付けられた框組み建具に関する。
【背景技術】
【０００２】
この種の框組み建具としては、例えば、図６に示すような室内用のドア５０がある。このドア５０は、同図に示すように、左右の縦框５１ａ及び上下の横框５１ｂからなるドア框５１と、このドア框５１に組み付けられた鏡板５２とを備えており、鏡板５２の全周に化粧用のモール５３が装着されている。
【０００３】
前記ドア框５１、鏡板５２及びモール５３は、木質材によって形成されており、モール５３は、図７に示すように、ドア框５１の内縁及び鏡板５２の外縁を覆うように、ピンカッタや接着剤等を用いて、ドア框５１及び鏡板５２に固着されている。
【０００４】
【特許文献１】特公平７−５９８６３号公報
【発明の開示】
【発明が解決しようとする課題】
【０００５】
ところで、何らかの理由により、鏡板５２に水が付着すると、その水が鏡板５２の表面を伝って下側のモール５３まで到達し、鏡板５２とモール５３との間に進入することになるが、上述したように、モール５３は木質材によって形成されているので、鏡板５２とモール５３との間に進入した水分はモール５３に吸水され、モール５３自体が膨れ上がってドア５０の外観が損なわれるおそれがある。
【０００６】
そこで、この発明の課題は、鏡板に付着した水が、鏡板とモールとの間に進入した場合でも、外観が損なわれにくい框組み建具を提供することにある。
【課題を解決するための手段】
【０００７】
上記の課題を解決するため、請求項１にかかる発明は、上下の横框及び左右の縦框に鏡板が組み付けられた框組み建具において、前記鏡板には、下側の前記横框の上端縁に沿って横方向に延びる樹脂成形品からなるモールが固着されており、前記モールは、その全部または一部が下側の前記横框の上端縁から上側に張り出していることを特徴とする框組み建具を提供するものである。
【０００８】
また、請求項２にかかる発明は、請求項１にかかる発明の框組み建具において、前記モールが、その長手方向に断続的な凸部を有していることを特徴としている。
【０００９】
また、請求項３にかかる発明は、請求項１または２にかかる発明の框組み建具において、前記モールが、ポリウレタンによって形成されていることを特徴としている。
【００１０】
また、請求項４にかかる発明は、請求項３にかかる発明の框組み建具において、前記モールが、ウレタンポリマー系接着剤によって、前記鏡板に接着されていることを特徴としている。
【発明の効果】
【００１１】
以上のように、請求項１にかかる発明の框組み建具は、下側の横框の上端縁に沿って横方向に延びる樹脂成形品からなるモールが鏡板に固着されており、そのモールの全部または一部が下側の横框の上端縁から上側に張り出しているので、鏡板に付着した水が、鏡板とモールとの間に進入した場合でも、その水分を吸収してモールが膨れ上がることがなく、建具の外観が損なわれにくい。
【００１２】
また、請求項２にかかる発明の框組み建具のように、モールが、その長手方向に断続的な凸部を有しているような場合、このようなモールを木質材によって形成しようとすると、長尺のフラットな板材に接着剤を用いて木製のブロックを接着することによって凸部を形成するのが一般的であり、製造に手間がかかると共に、接着剤がはみ出して意匠性が損なわれたり、接着不良によってブロックが脱落したりするおそれがある。しかしながら、請求項２にかかる発明の框組み建具のように、モールが樹脂成形品であれば、射出成形によって簡単に製造することができると共に、意匠性が低下したり、凸部が脱落したりすることもない。
【００１３】
また、請求項３にかかる発明の框組み建具のように、モールをポリウレタンによって形成すると、木質材と同様の表面性状を確保することができるので、モールが木質材によって形成されている框組み建具に比べて違和感のない框組み建具となる。
【００１４】
また、請求項４にかかる発明の框組み建具のように、モールを、ウレタンポリマー系接着剤によって、鏡板に接着するようにしておくと、ポリウレタンによって形成されたモールを鏡板にしっかりと固定することができる。
【発明を実施するための最良の形態】
【００１５】
以下、実施の形態について図面を参照して説明する。図１は、左右の縦框１１、１１及び上下の横框１２、１２からなるドア框１０に鏡板２０が組み付けられた框組みドア１を示している。この框組みドア１では、表面に防湿強化紙が貼着されたパーティクルボード（ＰＢ）によって鏡板２０が形成されており、この鏡板２０は、左右の縦框１１、１１に直接組み付けられているが、上下の横框１２、１２には、モール３０を介して、組み付けられている。
【００１６】
前記縦框１１は、図２（ａ）に示すように、所定の隙間を開けて配設された単板積層材（ＬＶＬ）からなる心材ＣＭの表面に、中質繊維板（ＭＤＦ）からなる表面材ＳＭを貼着し、これをオレフィンシート（図示ぜず）によって被覆したものであり、内側の端面には、鏡板２０を嵌め込む嵌合溝１１ａが形成されている。
【００１７】
一方、前記横框１２は、２枚の中質繊維板（ＭＤＦ）を積層してなる積層板をオレフィンシート（図示ぜず）によって被覆したものであり、内側の端面には、鏡板２０を、その両面側から挟み込むように、鏡板２０に固着された一対のモール３０を嵌め込む嵌合溝１２ａが形成されている。
【００１８】
前記モール３０は、ポリオール成分とイソシアネート成分からなる二液混合型のポリウレタン樹脂を射出成型してなる長尺の樹脂成形品であり、縦框１１や横框１２の表面と同色のポリウレタン塗装が施されている。
【００１９】
このモール３０は、図３及び図４（ａ）、（ｂ）に示すように、長尺帯状のベース部３１と、このベース部３１の短手方向の両端部にそれぞれ連設された、長手方向に延びる一対の突条３２、３３と、両突条３２、３３間において、長手方向に一定間隔を開けて、ベース部３１に連設された多数の凸部３４と、ベース部３１の短手方向における突条３３側の端部から張り出す、横框１２の嵌合溝１２ａに嵌り込むほぞ３５とを備えており、ほぞ３５は、その厚みが、先端に向かって徐々に小さくなるように、表面側がテーパ状に形成されている。
【００２０】
以上のように構成された框組みドア１を組み立てる場合は、まず、ドア框１０を形成する際に、縦框１１の嵌合溝１１ａ及び横框１２の嵌合溝１２ａに鏡板２０を嵌め込み、図４（ａ）に示すように、モール３０の裏面における突条３２に対応する部分に両面粘着テープＴＰを貼着すると共に、モール３０の裏面における凸部３４からほぞ３５までの領域Ｒ１及びほぞ３５の先端面Ｒ２にウレタンポリマー系の接着剤を塗布し、鏡板２０の上下の端縁を両側から挟み込むように、一対のモール３０、３０のほぞ３５、３５を横框１２の嵌合溝１２ａに嵌め込み、突条３２部分を強く押えて両面粘着テープＴＰ部分を鏡板２０に密着させる。続いて、モール３０の長手方向の両端部において、図２（ｂ）に示すように、突条３２の段部からタッカーでステープルＳＰを斜めに打ち込み、モール３０、３０を鏡板２０に固定する。
【００２１】
以上のように、この框組みドア１では、下側の横框１２の上端縁に沿って横方向に延びる樹脂成形品からなるモール３０が鏡板２０に固着されており、そのモール３０が下側の横框１２の上端縁から上側に張り出しているので、鏡板２０に付着した水が、鏡板２０と下側のモール３０との間に進入した場合でも、その水分を吸収してモール３０が膨れ上がることがなく、外観が損なわれにくい。
【００２２】
また、この框組みドア１では、長手方向に一定間隔を開けて断続的に形成された多数の凸部３４を有するモール３０が、ポリウレタン樹脂を射出成型してなる樹脂成形品によって形成されているので、同様のモールを木質材によって形成する場合のように、凸部を形成するために、長尺のフラットな板材に接着剤を用いて木製のブロックを接着するといった面倒な作業が必要なく、簡単に製造することができると共に、凸部の基端部から接着剤がはみ出して意匠性が損なわれたり、接着不良によって凸部が脱落したりすることもない。
【００２３】
また、この框組みドア１では、モール３０がポリウレタンによって形成されているので、木質材によって形成されているモールと同様の表面性状を付与することができ、モールが木質材によって形成されている框組みドアに比べて違和感を感じることもない。
【００２４】
また、この框組みドア１では、モール３０を、ウレタンポリマー系接着剤によって、鏡板２０に接着しているので、ポリウレタンによって形成されたモール３０を鏡板２０にしっかりと固定することができる。
【００２５】
また、この框組みドア１では、モール３０における突条３２側を両面粘着テープＴＰによって、鏡板２０に固着しているので、モール３０の裏面全面に塗布した接着剤によってモール３０を鏡板２０に固着する場合のように、モール３０から接着剤がはみ出して、外観を損ねることがなく、モール３０を綺麗に、しかも、確実に装着することができる。
【００２６】
なお、上述した実施形態では、鏡板２０の端縁を挟み込んだモール３０、３０のほぞ３５を横框１２の端面に形成された嵌合溝１２ａに内嵌めする構成を採用しているが、これに限定されるものではなく、例えば、図５（ａ）に示すように、鏡板２０の端部を横框１２の端面に形成された嵌合溝１２ｂに嵌め込んだ後、ほぞのないモール３０Ａの端面を横框１２の端面に突き合わせた状態でモール３０Ａを鏡板２０に固着したり、同図（ｂ）に示すように、ほぞに代えて、横框１２の端部を覆う被覆部３５ａを形成してなるモール３０Ｂ、３０Ｂを鏡板２０の端縁に固着し、モール３０Ｂ、３０Ｂの被覆部３５ａを横框１２の端部に外嵌めするようにしてもよい。
【００２７】
また、上述した実施形態では、横框１２と鏡板２０の組付部分にだけモール３０を装着しているが、これに限定されるものではなく、縦框１１と鏡板２０の組付部分にもモールを装着してもよい。
【００２８】
また、上述した実施形態では、木質板によって鏡板２０を形成しているが、これに限定されるものではなく、鏡板の全面または一部をガラス板等によって形成することも可能である。
【００２９】
また、上述した実施形態では、框組みドアについて説明したが、これに限定されるものではなく、本発明は、框組み引き戸等、種々の框組み建具に適用することができることはいうまでもない。
【図面の簡単な説明】
【００３０】
【図１】この発明にかかる框組み建具の一実施形態である框組みドアを示す正面図である。
【図２】（ａ）は図１のＸ−Ｘ線に沿った断面図、（ｂ）は図１のＹ−Ｙ線に沿った断面図である。
【図３】同上の框組みドアに使用されているモールを示す正面図である。
【図４】（ａ）は図３のＸ−Ｘ線に沿った断面図、（ｂ）は図３のＹ−Ｙ線に沿った断面図である。
【図５】（ａ）、（ｂ）は他の実施形態である框組みドアを示す部分断面図である。
【図６】一般的な框組みドアを示す正面図である。
【図７】同上の框組みドアを示す部分断面図である。
【符号の説明】
【００３１】
１  框組みドア（框組み建具）
１０  ドア框
１１  縦框
１１ａ  嵌合溝
１２  横框
１２ａ、１２ｂ  嵌合溝
２０  鏡板
３０、３０Ａ、３０Ｂ  モール
３１  ベース部
３２、３３  突条
３４  凸部
３５  ほぞ
ＣＭ  心材
ＳＭ  表面材
ＳＰ  ステープル
ＴＰ  両面粘着テープ
【図１】
2008014008.tif 000003
【図２】
2008014008.tif 000004
【図３】
2008014008.tif 000005
【図４】
2008014008.tif 000006
【図５】
2008014008.tif 000007
【図６】
2008014008.tif 000008
【図７】
2008014008.tif 000009